(57)【要約】【課題】炭素系抵抗発熱体を用いた発熱体ユニットの強弱切換を実施した場合に発熱体の赤熱色を目視しなくても容易に強弱切換状態が把握できるようにすること。【解決手段】前面を開口したストーブ本体２１と、ストーブ本体内に設けた反射板２２と、反射板の前方に設けた炭素系抵抗発熱体２４とその外周を覆う管体２３からなる発熱体ユニット２５と、通電状態を示す表示手段２６とを備え、表示手段は、複数色を点灯する発光体とすることにより、運転状態にあわせて表示手段２６の点灯色が切換わるので容易に電気ストーブの運転状況を把握することができる。【選択図】図１
2005282978.tif 000002
【特許請求の範囲】
【請求項１】
前面を開口したストーブ本体と、前記ストーブ本体内に設けた反射板と、前記反射板の前方に設けた炭素系抵抗発熱体とその外周を覆う管体からなる発熱体ユニットと、通電状態を示す表示手段とを備え、前記表示手段は、複数色を点灯する発光体とした電気ストーブ。
【請求項２】
通電率制御により発熱体ユニットの強弱切換を行なうための運転スイッチを備え、表示手段は、前記発熱体ユニットの強弱切換にあわせて点灯色が変わるようにした請求項１に記載の電気ストーブ。
【請求項３】
室温を感知する室温センサーを備え、表示手段は、室温の変化に伴い点灯色が変わるようにした請求項１に記載の電気ストーブ。
【請求項４】
設定した室温になるように発熱体ユニットの通電を制御する温度調節装置を備え、表示手段は設定した室温になると点灯色が変わるようにした請求項３に記載の電気ストーブ。
【請求項５】
一定時間に到達すると発熱体ユニットへの通電を停止する切タイマーを備え、表示手段は前記切タイマーが動作して前記発熱体ユニットへの通電が停止した場合に前記発熱体ユニット通電時に点灯していた点灯色を点滅するようにした請求項１に記載の電気ストーブ。
【請求項６】
表示手段は停止／運転切換を行なう運転スイッチと一体構成とした請求項１〜５のいずれか１項に記載の電気ストーブ。
【請求項７】
表示手段はＬＥＤランプとした請求項１〜６のいずれか１項に記載の電気ストーブ。
【請求項８】
ＬＥＤランプは１個で複数色を点灯する多色発光タイプとした請求項７に記載の電気ストーブ。
【発明の詳細な説明】
【技術分野】
【０００１】
本発明は、電気暖房器具に利用する電気ストーブに関するものである。
【背景技術】
【０００２】
従来、この種の電気ストーブは赤熱ヒータに通電することで通電状態を確認し、同時に赤熱ヒータの通電率を制御して強弱切換を実施している（例えば、特許文献１参照）。また、赤熱ヒータを含む複数本のヒータを用いた電気ストーブでは赤熱ヒータに通電して通電状態を確認し、ヒータの通電本数を変えることで強弱切換を実施しているものもある（例えば、特許文献２参照）。
【０００３】
図６は、特許文献１に記載された従来の電気ストーブを示すものである。図６に示すように、ストーブ本体１とストーブ本体１内部に設けられた反射板２と、反射板２の前方に炭素系抵抗発熱体２４と炭素系抵抗発熱体２４の外周を覆う管体２３からなる発熱体ユニット２５と通電率を制御する回路から構成されている。
【０００４】
図７は、特許文献２に記載された従来の電気ストーブを示すものである。図７に示すように、本体ケース１１の中心にＩ字型ヒータ１２を配し、両側に逆Ｕ字型ヒータ１３を配して本体ケース１１から左右均等に放熱できるとともに、弱運転の場合は赤熱するＩ字型ヒータ１３のみの通電とすることにより強弱運転に関わらず運転中であることが容易にわかるような構成になっている。
【特許文献１】特開２００２−２６７１８３号公報
【特許文献２】特開平１０−７３２６１号公報
【発明の開示】
【発明が解決しようとする課題】
【０００５】
しかしながら、前記従来の構成では、赤熱ヒータに炭素系抵抗発熱体を用いた発熱体ユニットを使用しているので通電率制御で強弱切換を実施しても赤熱色の差が少ないので、赤熱ヒータを目視しただけでは強弱切換がわかりにくいという課題を有していた。
【０００６】
また、前記従来の構成では、左右均等に放熱できるようにＩ字型のヒータと逆Ｕ字型のヒータを用いるので、本体サイズが大きくなるという課題を有していた。また、ヒータの製作作業性からＩ字型ヒータを赤熱ヒータ、逆Ｕ字型ヒータを非赤熱ヒータにした場合、運転中であることが容易にわかるように常にＩ字型ヒータに通電して赤熱させ、強運転時に逆Ｕ字型非赤熱ヒータを通電させるので赤熱ヒータを目視しただけでは強弱運転の状態がわかりにくいという課題を有していた。
【０００７】
本発明は、前記従来の課題を解決するもので、炭素系抵抗発熱体を用いた発熱体ユニットを使用した電気ストーブにおいて通電率制御により強弱切換を行なっても容易に強弱運転の状況が把握できるようにした本体サイズの大きくない電気ストーブを提供することを目的とする。
【課題を解決するための手段】
【０００８】
前記従来の課題を解決するために、本発明の電気ストーブは前面を開口したストーブ本体と、前記ストーブ本体内に設けた反射板と、前記反射板の前方に設けた炭素系抵抗発熱体とその外周を覆う管体からなる発熱体ユニットと、通電状態を示す表示手段とを備え、前記表示手段は、複数色を点灯する発光体としたものである。
【０００９】
これによって、運転状態に合わせて表示手段の点灯色をかえることにより運転スイッチの指示位置を確認しなくても表示手段の点灯色を確認するだけで容易に電気ストーブの運転状況を把握することができる。
【００１０】
また、本発明の電気ストーブは、通電率制御により発熱体ユニットの強弱切換を行なうための運転スイッチを備え、表示手段は、前記発熱体ユニットの強弱切換にあわせて点灯色が切換わるようにしたものである。
【００１１】
これによって、通電率制御により発熱体ユニットの強弱切換を行なった場合に表示手段の点灯色を変えることにより、赤熱した炭素系抵抗発熱体の赤熱色に関係なく容易に強弱運転の状況を把握することができる。
【００１２】
また、本発明の電気ストーブは、室温を感知する室温センサーを備え、表示手段は室温の変化に伴い、点灯色が変わるようにしたものである。
【００１３】
これによって、使用者が室温を容易に把握することができ、室温にあわせた強弱切換運転を容易に実施して省エネをはかることができる。
【００１４】
また、本発明の電気ストーブは、一定時間に到達すると発熱体ユニットの通電を停止する切タイマーを備え、表示手段は前記切タイマーが動作して前記発熱体ユニットへの通電が停止した場合に通電時に点灯していた点灯色を点滅するようにしたものである。
【００１５】
これによって、使用者が切タイマー作動により発熱体への通電が停止されていることを容易に確認することができる。
【発明の効果】
【００１６】
本発明の電気ストーブは、炭素系抵抗発熱体を用いた発熱体ユニットを使用した電気ストーブにおいて通電率制御により強弱切換を行なっても表示手段の色を確認するだけで容易に強弱運転の状況を把握することができる。
【発明を実施するための最良の形態】
【００１７】
第１の発明は前面を開口したストーブ本体と、ストーブ本体内に設けた反射板と、反射板の前方に設けた炭素系抵抗発熱体とその外周を覆う管体からなる発熱体ユニットと、通電状態を示す表示手段とを備え、表示手段は、複数色を点灯する発光体とすることにより、運転状況にあわせて表示手段の点灯色をかえることが可能となり電気ストーブの運転状況を容易に把握することができる。
【００１８】
第２の発明は通電率制御により発熱体ユニットの強弱切換を行なうための運転スイッチを備え、表示手段は、発熱体ユニットの強弱切換にあわせて点灯色が切換わるようにすることにより、通電率制御により発熱体ユニットの強弱切換を行なった場合に表示手段の点灯色が変わり、赤熱した炭素系抵抗発熱体の赤熱色に関係なく容易に強弱運転の状況を把握することができる。
【００１９】
第３の発明は室温を感知する室温センサーを備え、表示手段は室温の変化に伴い点灯色が変わるようにすることにより、室温を容易に把握することが可能となり、室温にあわせた強弱切換運転を容易に実施して省エネをはかることができる。
【００２０】
第４の発明は設定した室温になるように発熱体ユニットの通電を制御する温度調節装置を備え、表示手段は、設定した室温になると点灯色が変わるようにすることにより、使用者が容易に室温を把握することが可能となり、設定した室温が適温かどうかを容易に判断でき、最適な温度調節を行なうことができる。
【００２１】
第５の発明は一定時間に到達すると発熱体ユニットへの通電を停止する切タイマーを備え、表示手段は切タイマーが動作して発熱体ユニットへの通電が停止した場合に通電時に点灯していた点灯色を点滅することにより、切タイマーが動作したことを容易に確認すること可能となり、離れた位置からでも発熱体ユニットへの通電が停止していることを認識できる。
【００２２】
第６の発明は、特に、第１〜第５のいずれか１つの発明の表示手段を停止／運転切換を行なう運転スイッチと一体構成とすることにより、使用者が運転スイッチの操作と同時に点灯色を確認することが可能となり、操作部周辺の構造も簡素化できるので運転状況の視認性を向上することができる。
【００２３】
第７の発明は、特に、第１〜第６のいずれか１つの発明の表示手段をＬＥＤランプとすることにより、表示手段への供給電流を少なくすることが可能となり、表示手段の耐久性を向上するができる。
【００２４】
第８の発明は、特に、第７の発明のＬＥＤランプを１個で複数色を点灯する多色タイプとすることにより、部品点数を削減することが可能となり、低コスト化や表示手段の構造の簡素化をはかることができる。
【００２５】
以下、本発明の実施の形態について、図面を参照しながら説明する。
【００２６】
なお、本実施の形態によって本発明が限定されるものではない。
【００２７】
（実施の形態１）
図１は、本発明の実施の形態１における電気ストーブの弱運転時の部分断面正面図を示すものである。また、図２は電気ストーブの強運転時の部分断面正面図を示すものである。図３は電気ストーブの回路構成を示すものである。
【００２８】
図１、図２、図３において、２１は前面を開口したストーブ本体、２２はストーブ本体内に設けられた反射板、２５は反射板２２の前方に設けられた炭素系抵抗発熱体２４と、その炭素系抵抗発熱体の外周を覆う管体２３からなる発熱体ユニット、２６は複数色を表示する表示手段、２７は表示手段を内部に配置可能な運転スイッチで光を透過する材料で作られている。２８は発熱体ユニット２５の通電率制御と表示手段の点灯色を制御する通電制御回路である。
【００２９】
以上のように構成された電気ストーブについて、以下その動作、作用を説明する。
【００３０】
まず、運転スイッチ２７を弱の位置に設定すると通電制御回路２８を介して表示手段２６の赤色ＬＥＤ２６ａが点灯し、同時に発熱体ユニット２５へ通電率制御された電流が通電されて弱運転モードになる。次に、運転スイッチ２７を強の位置に設定すると通電制御回路２８を介して表示手段２６の緑色ＬＥＤ２６ｂが点灯し、同時に発熱体ユニット２５に通常の電流が通電されて強運転モードとなる。
【００３１】
以上のように、本実施の形態においては通電率制御により発熱体ユニット２５の強弱切換を行なった場合に表示手段２６の点灯色が変わり、赤熱した炭素系抵抗発熱体２４の赤熱色に関係なく容易に強弱運転の状況を把握することができる。
【００３２】
（実施の形態２）
図４は、本発明の実施の形態２における電気ストーブの回路構成を示すものである。
【００３３】
図４において２９は室内温度を測定する室温センサ、３０は室内温度にあわせて表示手段２６の点灯色を変更するための制御回路である。
【００３４】
以上のように構成された電気ストーブについて、以下その動作、作用を説明する。
【００３５】
まず、電気ストーブの運転スイッチ２７を操作して発熱体ユニット２５に通電することにより表示手段２６の赤色ＬＥＤ２６ａが点灯する。室内温度が上昇し、室内温度を測定する室温センサ２９から制御回路３０に送られる温度データが１つめの基準値に到達すると表示手段２６の緑色ＬＥＤ２６ｂが点灯する。さらに、室内温度が上昇し、室温センサ２９から制御回路３０に送られる温度データが２つめの基準値に到達すると表示手段２６の赤色ＬＥＤ２６ａ、緑色ＬＥＤ２６ｂの両方が点灯する。
【００３６】
以上のように、本実施の形態においては表示手段２６は室温の変化に伴い点灯色が変わるように構成することにより、室温を容易に把握することが可能となり、室温にあわせた強弱切換運転を容易に実施して適温調整や省エネをはかることができる。
【００３７】
また、本実施の形態では設定した室温になるように発熱体ユニット２５の通電を制御する温度調節装置（図示せず）を備え、同時に表示手段２６は、設定した室温になると点灯色が変わるようにすることにより、使用者が容易に室温が設定温度になったかどうかを把握することが可能となり、設定した室温が適温かどうかを容易に判断でき、最適な温度調節を行なうことができる。
【００３８】
（実施の形態３）
図５は、本発明の実施の形態３における電気ストーブの回路構成を示すものである。
【００３９】
図５において３１は設定した時間が経過すると発熱体ユニットへの通電を遮断する制御回路、３２は通電を遮断するための時間をセットする切タイマーである。
【００４０】
以上のように構成された電気ストーブについて、以下その動作、作用を説明する。
【００４１】
まず、電気ストーブの運転スイッチ２７を操作して発熱体ユニット２５に通電することにより弱運転では表示手段２６の赤色ＬＥＤ２６ａが点灯し、強運転では緑色ＬＥＤ２６ｂが点灯する。次に切タイマー３２により発熱体ユニットへの通電を遮断するまでの時間をセットする。セットした時間が経過すると制御回路３１により発熱体ユニット２５への通電が遮断され、同時に表示手段２６の点灯している赤色ＬＥＤ２６ａまたは緑色ＬＥＤ２６ｂが点滅する。
【００４２】
以上のように、本実施の形態においては切タイマー３２が動作して発熱体ユニット２５への通電が停止した場合に表示手段２６が通電時に点灯していた点灯色を点滅することにより、切タイマー３２が動作したことを容易に確認すること可能となり、離れた位置からでも発熱体ユニットへの通電が停止していることを認識できる。
【産業上の利用可能性】
【００４３】
以上のように、本発明にかかる電気ストーブは、複数色を点灯する表示手段を設けることにより、炭素系抵抗発熱体の通電率を制御することで実施する強弱運転の状態を容易に把握することが可能となるので、炭素系抵抗発熱体を用いた電気採暖具の強弱運転時の状況を容易に把握するなどの用途にも適用できる。
【図面の簡単な説明】
【００４４】
【図１】本発明の実施の形態１における電気ストーブの弱運転時の部分断面正面図
【図２】本発明の実施の形態１における電気ストーブの強運転時の部分断面正面図
【図３】本発明の実施の形態１における電気ストーブの回路構成図
【図４】本発明の実施の形態２における電気ストーブの回路構成図
【図５】本発明の実施の形態３における電気ストーブの回路構成図
【図６】従来の電気ストーブの部分断面斜視図
【図７】従来の電気ストーブの正面図
【符号の説明】
【００４５】
２１  ストーブ本体
２２  反射板
２３  管体
２４  炭素系抵抗発熱体
２５  発熱体ユニット
２６  表示手段
２６ａ  赤色ＬＥＤ
２６ｂ  緑色ＬＥＤ
２７  運転スイッチ
２８  通電制御回路
２９  室温センサー
３０  実施例２の制御回路
３１  実施例３の制御回路
３２  切タイマー
【図１】
2005282978.tif 000003
【図２】
2005282978.tif 000004
【図３】
2005282978.tif 000005
【図４】
2005282978.tif 000006
【図５】
2005282978.tif 000007
【図６】
2005282978.tif 000008
【図７】
2005282978.tif 000009